(57)【要約】【課題】  遮蔽装置の低コスト化、施工作業の簡易化【解決手段】  この遮蔽装置１０は、上側部にループ２１を形成し、棒材２２を挿通した布状の遮蔽材１１と、遮蔽材１１の下部に一端を取り付け、遮蔽材１１に上下方向に間欠的に挿通させた紐材３１を、引き上げたり送り出したりして遮蔽材１１を昇降操作する昇降操作部１２と、窓枠１６上部の離間した複数の位置に、窓枠１６上部の室内側の側面に対向するように取り付けられ、窓枠１６上部の室内側の側面に対向する側面に、棒材２２を挿通した遮蔽材１１の上側部を収容保持する窪み４１を備え、窪み４１から下方に遮蔽材１１を垂れ下げさせる保持材１３とを備えている。【選択図】  図１
2007135702.tif 000002
【特許請求の範囲】
【請求項１】
上側部にループを形成し、棒材を挿通した布状の遮蔽材と、
前記遮蔽材の下部に一端を取り付け、遮蔽材に上下方向に間欠的に挿通させた紐材を、引き上げたり送り出したりして遮蔽材を昇降操作する昇降操作部と、
窓枠上部の離間した複数の位置に、窓枠上部の室内側の側面に対向するように取り付けられ、窓枠上部の室内側の側面に対向する側面に、棒材を挿通した遮蔽材の上側部を収容保持する窪みを備え、前記窪みから下方に遮蔽材を垂れ下げさせる保持材と、
を備えた遮蔽装置。
【請求項２】
前記保持材の窪みは、窪みの下側の内側面が、下方に向けて徐々に窓枠上部の室内側の側面に近づく面で形成したことを特徴とする請求項１に記載の遮蔽装置。
【請求項３】
前記保持材は、前記遮蔽材に対し、昇降操作部の紐材を上下に配設した位置より幅方向にずらして窓枠上部に取り付けており、前記保持材の下端を、レールよりも下側に延在させ、遮蔽材を引き上げた際に、引き上げられた遮蔽材をレールよりも下側で止めることを特徴とする請求項１に記載の遮蔽装置。
【請求項４】
前記保持材は、保持材の上部に取り付けられ、保持材の窪みに対向して延在し、窓枠上部に取り付けられる取付部材を介して取り付けたことを特徴とする請求項１に記載の遮蔽装置。
【請求項５】
前記昇降操作部は、窓枠上部に幅方向に配設され、紐材をガイドするレールを備え、
前記取付部材は前記昇降操作部のレールを支持することを特徴とする請求項４に記載の遮蔽装置。
【発明の詳細な説明】
【技術分野】
【０００１】
本発明は遮蔽装置に関するものである。
【背景技術】
【０００２】
遮蔽装置としては、窓の室内側に配設されるカーテンなどが周知である。斯かる窓枠に取り付けられるカーテンの一形態として、ローマンシェードと呼ばれる形態の遮蔽装置がある。斯かるローマンシェードは、窓枠の上部から遮蔽材を吊り下げ、窓からの入射光を遮るものであり、遮蔽材の下端を引き上げる昇降機構を備え、適宜に遮蔽材をたくし上げるように構成したものである。
【０００３】
特開２００５−１６８９８９号において、遮蔽材を窓枠に対して密着させるように吊り下げたものを提案している。また、特開２００５−３４５７０号では、遮蔽材の上部を覆う装飾部材を取り付けることを提案している。
【特許文献１】特開２００５−１６８９８９号公報
【特許文献２】特開２００５−３４５７０号公報
【発明の開示】
【発明が解決しようとする課題】
【０００４】
上述した特許文献において提案したローマンシェードの形態は、遮蔽材を窓枠に対して密着させるように吊り下げることにより、窓枠に対する遮蔽材の密着性を高め、遮光性や室内の保温性を向上させている。しかし、遮蔽材を窓枠に対して密着させるように吊り下げるための構造が煩雑な面がある。例えば、特開２００５−３４５７０号公報に開示したものは、窓枠の上部を全幅にわたって覆う大きさの装飾部材を備えている。装飾部材は、ローマシェードの印象としてかなり目立つ要素であり、需要者のニーズに合うように室内の壁面や遮蔽材の色合いに合わせる必要があり、異なる色合いの部材を多数ストックする必要が生じる。このため、窓枠の上部を全幅にわたって覆う大きさの装飾部材を多数ストックするには、保管管理にコストが掛かり、施工時の作業性などの改良すべき点があった。
【課題を解決するための手段】
【０００５】
本発明に係る遮蔽装置は、上側部にループを形成し、棒材を挿通した布状の遮蔽材と、遮蔽材の下部に一端を取り付け、遮蔽材に上下方向に間欠的に挿通させた紐材を、引き上げたり送り出したりして遮蔽材を昇降操作する昇降操作部と、窓枠上部の離間した複数の位置に、窓枠上部の室内側の側面に対向するように取り付けられ、窓枠上部の室内側の側面に対向する側面に、棒材を挿通した遮蔽材の上側部を収容保持する窪みを備え、窪みから下方に遮蔽材を垂れ下げさせる保持材と、を備えている。
【発明の効果】
【０００６】
この遮蔽装置によれば、上記構成により、窓枠に取り付けた際、窓枠に対する密着性を確保できるとともに、保持材は、遮蔽材の上側部の離間した複数の位置に取り付けられる部材であるから、保持材は小さくなり、種々ストックする場合でも保管管理が容易になり、また施工時の作業性も容易になる。
【発明を実施するための最良の形態】
【０００７】
以下、本発明に係るの一実施形態を図面に基づいて説明する。なお、同じ作用を奏する部材、部位には同じ符号を付して説明する。
【０００８】
この遮蔽装置１０は、図１、２に示すように、遮蔽材１１と、昇降操作部１２と、保持材１３を備えている。この遮蔽装置１０は、窓枠１６に取り付けられており、図１中、１７は窓を、１８はサッシをそれぞれ示している。
【０００９】
遮蔽材１１は、図１に示すように、上側部にループ２１を形成し、棒材２２を挿通した布状の部材である。この実施形態では、遮蔽材１１は、図２に示すように、窓枠１６よりも幅広で、窓枠１６の高さよりも丈を長くした矩形の布材であり、上側部は、棒材２２を挿通させるため、全幅にわたってループ２１を形成している。棒材２２は遮蔽材１１を吊り下げるための所要の剛性を備えたものであり、遮蔽材１１の全幅にわたって挿通するように所要の長さを備えている。また、吊り下げたときに遮蔽材１１に所要のテンションが掛かるように遮蔽材１１の下側部に錘２３を装着している。遮蔽材１１には、上下方向に間欠的に後述する昇降操作部１２の紐材３１をガイドするガイド２４を取り付けている。
【００１０】
昇降操作部１２は、図１に示すように、遮蔽材１１の下部に一端を取り付け、遮蔽材１１に上下方向に間欠的に挿通させた紐材３１を、引き上げたり送り出したりして遮蔽材１１を昇降操作するものである。この実施形態では、昇降操作部１２は、窓枠１６上部に幅方向に配設され、紐材３１をガイドするレール３２と、レール３２の片側において紐材３１を送り出し方向に食い込ませて紐材３１の送り出し量を規制するロック機構３３とを備えている。
【００１１】
レール３２は、図１に示すように、窓枠１６の上縁部材の下面に窓枠１６の幅方向に沿って配設しており、スムーズに紐材３１を引き上げたり送り出したりするため、ガイドローラ３４を内装している。ロック機構３３は、図２に示すように、例えば、従来のローマンシェードやブラインド装置などに用いられている公知のロック機構を用いることができ、レール３２の片側に取り付けている。
【００１２】
紐材３１は、遮蔽材１１に、幅方向に間欠的に複数箇所（この実施形態では、幅方向に等間隔に３箇所）に取り付けており、遮蔽材１１の上部において、レール３２を通して窓枠１６の片側の側部に挿通させている。そして、幅方向に間欠的に複数箇所に取り付けた遮蔽材１１を、窓枠１６の片側の側部で纏めてロック機構３３に通し、窓枠１６の片側の側部で纏めて引き上げたり送り出したりしている。
【００１３】
保持材１３は、窓枠１６上部の離間した複数の位置（この実施形態では、２箇所）において、図１に示すように、窓枠１６上部の室内側の側面５１に対向するように取り付けられ、窓枠１６上部の室内側の側面に対向する側面に、棒材２２を挿通した遮蔽材１１の上側部を収容保持する窪み４１を備えている。保持材１３は、窪み４１に上側部を遮蔽材１１を収容保持し、窪み４１から下方に遮蔽材１１を垂れ下げさせている。保持材１３は、例えば、所定の意匠性を持たせた形状に加工した木製の部材で構成することができ、取付部材で窓枠１６の上部に取り付けるとよい。
【００１４】
この実施形態では、保持材１３は、図１に示すように、また、この保持材１３は、図２に示すように、紐材３１を上下に配設した位置より幅方向にずらして配設しており、かつ、保持材１３の下端は、レール３２よりも下側に延在している。
【００１５】
この遮蔽装置１０によれば、図１に示すように、保持材１３は、窓枠１６上部の室内側の側面５１に対向する側面に、棒材２２を挿通した遮蔽材１１の上側部を収容保持する窪み４１を備え、窪み４１から下方に遮蔽材１１を垂れ下げさせている。これにより、窓枠１６に取り付けた際、窓枠１６に対して遮蔽材１１が密着する密着性を確保している。また、保持材１３は、図２に示すように、遮蔽材１１の上側部の離間した複数の位置に取り付けられる部材であるから、遮蔽装置１０全体において、保持材１３の印象を小さくできる。また、保持材１３自体も小さなものにできるから、種々ストックする場合でも保管管理が容易になる。また、遮蔽装置１０は、棒材２２を挿通した遮蔽材１１の上側部を収容保持させた状態で保持材１３を窓枠１６に取り付ければよく、施工時の作業性も容易になる。
【００１６】
また、この実施形態では、図２に示すように、昇降操作部１２は、窓枠１６上部に幅方向に配設され、紐材３１をガイドするレール３２と、レール３２の片側において紐材３１を送り出し方向に食い込ませて紐材３１の送り出し量を規制するロック機構３３とを備えている。そして、保持材１３は、遮蔽材１１に対し、昇降操作部１２の紐材３１を上下に配設した位置より幅方向にずらして窓枠１６上部に取り付けており、図３に示すように、保持材１３の下端を、レールよりも下側に延在させ、遮蔽材１１を引き上げた際に、引き上げられた遮蔽材１１をレール３２よりも下側で止めるようにしている。これにより、遮蔽材１１を引き上げた際に、昇降操作部１２の紐材３１を上下に配設した位置において遮蔽材１１とレール３２との間に隙間Ｓが形成され、ロック機構３３の解除を行う際に、紐材３１を引っ張ることが許容されるから、ロック機構３３の解除が容易になる。これにより、使用する際にロック機構３３が解除できないという不具合が生じない。
【００１７】
次に、本発明の他の実施形態に係る遮蔽装置を説明する。
【００１８】
図４に示す遮蔽装置１０ａは、保持材１３の窪み４１の下側の内側面４１ａを、下方に向けて徐々に窓枠１６上部の室内側の側面に近づく面で形成したものである。遮蔽材１１の上側部は、棒材２２の重みにより、窪み４１の下方で支持される。この実施形態では、保持材１３の窪み４１の下側の内側面４１ａを下方に向けて徐々に窓枠１６上部の室内側の側面に近づく面で形成しているので、遮蔽材１１の上側部は、保持材１３の窪み４１の下側の内側面４１ａに沿って窓枠１６側に寄るので、遮蔽材１１はより窓枠１６に密着するようになる。
【００１９】
また、この実施形態では、保持材１３は、保持材１３の上部に取り付けられ、保持材１３の窪み４１に対向して延在し、窓枠１６上部に取り付けられる取付部材６２を介して取り付けられている。
【００２０】
この実施形態では、取付部材６２は、窓枠１６上部の下面１６ａに、取付部材６２の一端６２ｂを挿入する挿入口６１ａを形成する挿入口形成部材６１を取り付けている。挿入口形成部材６１は、ネジ等で窓枠１６の下面に取り付けている。取付部材６２は、略Ｌ字形の金具で構成しており、一端は保持材１３の上部に取り付けており、保持材１３の窪み４１に対向して延在する延在部６２ａと、挿入口形成部材６１で形成された挿入口６１ａに挿入される挿入片６２ｂを備えている。
【００２１】
図５に示すように、棒材２２を挿通した遮蔽材１１の上側部は、保持材１３の窪み４１に収容保持され、取付部材６２の延在部６２ａにより、脱落が防止される。そして、この状態で、挿入口形成部材６１により窓枠１６の下面に形成された挿入口６１ａに取付部材６２の挿入片６２ｂを挿入し、図４に示すように、取付部材６２の挿入片６２ｂをボルト６３で止めて遮蔽材１１を窓枠１６に取り付けている。また、遮蔽材１１を窓枠１６から取り外す際は、図５に示すように、ボルト６３を緩め、取付部材６２の挿入片６２ｂを挿入口６１ａから取り外すとよい。この際、保持材１３の窪み４１に収容された遮蔽材１１の上側部は、窪み４１に対向して延在した取付部材６２の延在部６２ａにより窪み４１内に押さえられているので、遮蔽材１１が保持材１３から脱落せず、遮蔽材１１の取り付けや取り外し作業が容易になる。
【００２２】
さらに他の実施形態に係る遮蔽装置１０ｂは、図６、７に示すように、取付部材６２が昇降操作部１２のレール３２を支持するようにしている。この場合、取付部材６２は、挿入片６２ｂの下にさらに延在し、レール３２を取り付けるレール取付部６２ｃを備えている。これにより、遮蔽材１１を窓枠１６に取り付けたり、窓枠１６から取り外したりする際にも、遮蔽材１１が保持材１３から脱落しない。そして、遮蔽材１１に紐材３１が取り付けられた昇降操作部１２のレール３２を遮蔽材１１と一緒に窓枠１６に取り付けたり、窓枠１６から取り外したりすることができるから、遮蔽材１１の取り付けや取り外し作業がさらに容易になる。なお、図６および図７中の符号７１はレール３２をレール取付部６２ｃに取り付けるための締結部材を示している。
【００２３】
以上、本発明の一実施形態に係る遮蔽装置を説明したが、本発明に係る遮蔽装置は上述した実施形態に限定されず、種々の変更ができる。例えば、保持材の形状や、取付部材の形状、遮蔽材および昇降操作部の構造などは種々変更できる。
【図面の簡単な説明】
【００２４】
【図１】本発明の一実施形態に係る遮蔽装置の縦断側面図。
【図２】本発明の一実施形態に係る遮蔽装置の正面図。
【図３】本発明の一実施形態に係る遮蔽装置の遮蔽材を引き上げた状態を示す縦断側面図。
【図４】本発明の他の実施形態に係る遮蔽装置の縦断側面図。
【図５】本発明の他の実施形態に係る遮蔽装置の縦断側面図。
【図６】本発明の他の実施形態に係る遮蔽装置の縦断側面図。
【図７】本発明の他の実施形態に係る遮蔽装置の縦断側面図。
【符号の説明】
【００２５】
１０、１０ａ、１０ｂ 遮蔽装置
１１   遮蔽材
１２   昇降操作部
１３   保持材
１６   窓枠
２１   ループ
２２   棒材
３１   紐材
３２   レール
３３   ロック機構
４１   窪み
６１   挿入口形成部材
６１ａ 挿入口
６２   取付部材
６２ａ 延在部
６２ｂ 挿入片
６２ｃ レール取付部
６３   ボルト
【図１】
2007135702.tif 000003
【図２】
2007135702.tif 000004
【図３】
2007135702.tif 000005
【図４】
2007135702.tif 000006
【図５】
2007135702.tif 000007
【図６】
2007135702.tif 000008
【図７】
2007135702.tif 000009